(57)【特許請求の範囲】
【請求項１】
住宅内のペット用トイレの清浄構造であって、屋内に設けた閉鎖空間からなり内部にペット用トイレを収容すると共に壁面にペット用通路を設けたペット用トイレコーナーと、赤外線センサーによってペットがペット用トイレに入ったことを確認しその状態を一定時間以上検知した後赤外線量がゼロになることでペットがペット用トイレから出たことを検知する手段と、前記検知手段によってペットがペット用トイレから出たことを検知したときに作動を開始する遅延タイマーと、前記ペット用トイレコーナーの壁に配置され遅延タイマーによる設定時間を経過した後作動を開始する換気装置と、を有するペット用トイレ清浄構造。
【発明の詳細な説明】
【０００１】
【発明の属する技術分野】
本発明は、屋内に設けられたペット（特に猫）用トイレを清浄に保つことが出来るペット用トイレ清浄構造に係り、特に、ペットがトイレを使用した後に自動的に換気したり、或はペットが使用したトイレの汚染度が一定以上になった場合に自動的に知らせたりすることが可能なペット用トイレ清浄構造である。
【０００２】
【従来の技術】
従来、家内にペット用トイレを設ける場合には、人間用のトイレの一部や浴室の一部を間仕切り等で囲って構成する場合があった。この場合には、人が出入りするドア或は間仕切壁等の一部にペットが出入りできる小さな専用出入口を開口して構成していた。
【０００３】
しかし、ペット用トイレを意識した換気システムや、トイレの汚染度を知らせるようなランプ表示やブザー等の警報装置を備えたペット用トイレの清浄構造については一般的に開発されていなかった。
【０００４】
【発明が解決しようとする課題】
然るに、前述のように人間用のトイレの一部や浴室の一部をペット用のトイレとして構成した場合には、人間やペットがトイレに入室した場合に、トイレの照明スイッチＯＮに連動して換気扇が回り出し、トイレから人間やペットが退室後に３分間の遅延運転をした後で停止するシステムが一般的に行われている。
【０００５】
また、最近では人感センサー付の換気扇が出来ているが、これも入室時に換気扇が回り出し、退出時に３分間の遅延運転を行うようになっている。
【０００６】
しかし、これ等のシステムでは、ペットがトイレに入室した際に、換気扇が突然回り出すために、ペットは驚いて警戒してしまい、用を足せなくなってしまう問題があった。
【０００７】
また、前述のようなペット用トイレには汚染度を知らせるような装置が設置されていないので、ペット用トイレの汚れ具合が遠隔で確認出来ず、従ってうっかり汚物をそのままに放置した場合には、悪臭がトイレ内に充満することは勿論のこと、室内にも放出される等の問題があった。
【０００８】
本発明に係るペット用トイレ清浄構造は、前述の従来の問題点に鑑み開発された全く新規な発明であって、特に、ペットがトイレを使用した後に換気装置を作動させて換気させたり、或はペットが使用したトイレの汚染度が一定以上になった場合にランプ表示やブザー等の警報を発して自動的に知らせたりすることが出来るようにしたペット用トイレ清浄構造の技術を提供するものである。
【０００９】
【課題を解決するための手段】
本発明に係るペット用トイレ清浄構造は、前述の問題点を根本的に改善した発明であって、その第１発明の要旨は、住宅内のペット用トイレの清浄構造であって、屋内に設けた閉鎖空間からなり内部にペット用トイレを収容すると共に壁面にペット用通路を設けたペット用トイレコーナーと、赤外線センサーによってペットがペット用トイレに入ったことを確認しその状態を一定時間以上検知した後赤外線量がゼロになることでペットがペット用トイレから出たことを検知する手段と、前記検知手段によってペットがペット用トイレから出たことを検知したときに作動を開始する遅延タイマーと、前記ペット用トイレコーナーの壁に配置され遅延タイマーによる設定時間を経過した後作動を開始する換気装置と、を有するペット用トイレ清浄構造である。
【００１０】
前述の第１発明のペット用トイレ清浄構造に於いては、ペット用トイレコーナーに収容されたペット用トイレに入ったペットを赤外線センサーによって確認すると共に一定時間以上止まった後、ペット用トイレから出たことを検知する検知手段と、該検知手段によってペットがペット用トイレから出たことを検知した後、遅延センサーによって所定時間が経過した後で換気装置の作動を開始するようにしたので、ペットの用便中に換気装置が作動してペットを驚かせることがなく、しかもペットの用便後の臭気を自動的に換気することが出来る。
【００１５】
【発明の実施の形態】
図により本発明に係るペット用トイレ清浄構造の一実施例を具体的に説明すると、図１は第１実施例のペット用トイレ清浄構造を示す簡略平面図。図２は図１のペット用トイレ清浄構造の換気扇を自動的に制御稼動させるための回路図。図３は本発明のペット用トイレ清浄構造の応用例の説明図。図４は図３のペット用トイレに設置した警報装置を制御稼動させるための脱臭効果曲線及び回路図である。
【００１６】
図１に於いて、本発明のペット用トイレ清浄構造の第１実施例について説明すると次の通りである。即ち、１は人間用のトイレであって、その一部に壁２とメンテナンス用のドア３とを設けることによって、ペット用トイレコーナー４が設けられている。人間用トイレ１には人間が出入り出来る引戸５が設けられており、かつペット用トイレコーナー４には境界壁６にドア７付きのペット用通路８が設けられている。
【００１７】
前記人間用トイレ１内の略中央には便器９が設置され、ペット用トイレコーナー４の略中央にはペット用トイレ１０が載置され、内壁の一部には爪砥ぎ板１１が取付けられている。また、人間用トイレ１の外壁には開閉窓１２が取付けられており、かつペット用トイレ１０の外壁には換気扇１３が取付けられている。図中１４は赤外線センサー、１５は臭気検知器である。
【００１８】
前述の図１に示す第１実施例のペット用トイレ清浄構造に於いて、ペット用トイレ１０内でペットが用済みの後、換気扇１３を作動開始し、ペット用トイレコーナー４内の臭気を該換気扇１３で自動的に排気する工程について説明すると次の通りである。
【００１９】
図１及び図２に於いて、ペット用トイレコーナー４の赤外線センサー１４でペットがペット用トイレ１０内に入ったことを確認し、その状態を一定時間以上検知し、その後赤外線量がゼロになった時に、ペットがペット用トイレ１０から出たことを確認し、換気扇１３の遅延タイマー（１分間）をＯＮにする。
【００２０】
同時にペット用トイレコーナー４内に設けられた臭気検知器１５で、ペット用トイレコーナー４の臭いの濃度或は成分を測定する。そして、臭いの濃度或は成分許容値が一定レベル以下の場合には、換気扇１３をタイマー弱運転し、また、臭いの濃度或は成分許容値が一定レベル以上の場合には、換気扇１３をタイマー強運転し、夫々の時間が経過した後で換気扇１３の運転を停止する。このときの臭いの濃度或は成分許容値のレベルは、調節可能に構成されている。
【００２１】
前述の第１実施例のペット用トイレ清浄構造は、以上のような構成と作動システムとを有するので、ペットがペット用トイレ１０内に居る間は換気扇１３は作動せず、ペットがペット用トイレ１０より出た後で一定時間が経過した時に換気扇１３が作動して、ペット用トイレコーナー４内の臭いを自動的に換気することが出来る。
【００２２】
また、前記第１実施例に於いては、ペット用トイレコーナー４内の臭いを臭気検知器１５で測定することが出来るので、この臭気検知器１５で測定した臭いの濃度或はその成分の測定に対応して、換気扇１３の運転時間を調節して、ペット用トイレコーナー４内の臭いを完全に排気することが出来る。
【００２３】
本発明に係るペット用トイレ清浄構造の応用例を、図３及び図４によって説明すると次の通りである。この応用例は、ペット用トイレコーナー内に臭気が発生した場合に、ブザー或はランプ表示等によって警報を発する装置である。
【００２４】
図３（ａ），（ｂ）に於いて、１６は洗面所であって、その片側境界壁１７の下部にはペットが自由に出入りすることが出来るドア１８ａを有するペット用通路１８が設けられている。
【００２５】
前記洗面所１６の他側境界壁１９に沿っては、洗面台２０が設置されている。この洗面台２０の片袖にはペット用トイレコーナー２１が設けられており、このペット用トイレコーナー２１の前面には開閉仕切板２２が開閉自在に取付けられている。
【００２６】
該開閉仕切板２２の所定位置には、ペット用通路２３が設けられている。かつ、ペット用トイレコーナー２１の略中央部にはペット用トイレ２４が載置されている。さらに、ペット用トイレコーナー２１の境界壁１９にはブザー或は表示ランプ式の警報器２５が取付けられている。また、ペット用トイレコーナー２１の所定位置には図示しない臭気検知器が設置されている。図中２６は洗面台２０の片袖に設けられた収納用引出し、２７は爪砥ぎ板である。
【００２７】
前述の応用例の実施に当っては、図３（ａ），（ｂ）及び図４（ａ），（ｂ）に示す如く、ペット用トイレコーナー２１内に設置した臭気検知器でペット用トイレコーナー２１内の臭気等の汚臭度を検知し、その汚臭度の減少勾配をみて汚染状況を判断し、その脱臭曲線減少勾配が許容値以下か否かを判断することによって、これを前記ペット用トイレコーナー２１の境界線１９に取付けられた警報器２５により、外部にトイレ交換時期が来たことを警報することが出来る。
【００２８】
【発明の効果】
本発明に於いては、ペット用トイレに入ったペットが該ペット用トイレから出たことを検知する手段と、該検知手段がペット用トイレから出たことを検知した後で所定時間が経過した際に換気装置を作動開始するシステムとが併設されているので、ペットの用便中に換気装置が作動してペットを驚かせることがなく、しかもペットの用便後の臭気を自動的に換気することが出来る効果を有している。
【図面の簡単な説明】
【図１】  第１実施例のペット用トイレ清浄構造を示す簡略平面図である。
【図２】  図１のペット用トイレ清浄構造の換気扇を自動的に制御稼動させるための回路図である。
【図３】  本発明のペット用トイレ清浄構造の応用例の説明図である。
【図４】  図３のペット用トイレに設置した警報装置を制御稼動させるための脱臭効果曲線及び回路図である。
【符号の説明】
１・・・人間用トイレ
２・・・壁
３・・・メンテナンス用ドア
４・・・ペット用トイレコーナー
５・・・引戸
６・・・境界壁
７・・・ドア
８・・・ペット用通路
９・・・便器
１０・・・ペット用トイレ
１１・・・爪砥ぎ板
１２・・・開閉窓
１３・・・換気扇
１４・・・赤外線センサー
１５・・・臭気検知器
１６・・・洗面所
１７・・・境界壁
１８・・・ペット用通路
１８ａ・・・ドア
１９・・・境界壁
２０・・・洗面台
２１・・・ペット用トイレコーナー
２２・・・開閉仕切板
２３・・・ペット用通路
２４・・・ペット用トイレ
２５・・・警報器
２６・・・収納用引出し
２７・・・爪砥ぎ板
２８・・・汚染表示ランプ
【図１】
0003877614.tif 000002
【図２】
0003877614.tif 000003
【図３】
0003877614.tif 000004
【図４】
0003877614.tif 000005